Podtech/llm-jp-corpus-v4-ja_patent huggingface dataset:
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
軸方向に延在するボアを有する環状の金属シェルと、
導電性および熱伝導性のチューブ状のシースとを備え、前記シースは、前記シェルと電気的に接続されて前記ボア内に配置された開口端と、前記ボアから突出した閉口端とを有し、
前記シースの前記開口端に延在する電極と、
抵抗加熱素子とをさらに備え、前記抵抗加熱素子は、前記シースに配置され、前記電極に電気的に接続される近位端と、前記シースの前記閉口端に電気的に接続される遠位端とを有し、
前記シース内に配置され、前記抵抗加熱素子を取り囲む、電気的に絶縁性で熱伝導性の粉末と、
前記開口端において、前記シースおよび前記電極とかみ合ってシールするように配置されたガラスシールとをさらに備える、グロープラグ。
【請求項２】
前記ガラスシールは、ケイ酸塩ガラス、ホウ酸塩ガラスおよびホウケイ酸ガラスからなる群より選ばれるガラスを備える、請求項１に記載のグロープラグ。
【請求項３】
前記ガラスの成分として遷移金属の酸化物をさらに備える、請求項２に記載のグロープラグ。
【請求項４】
前記遷移金属は、クロム、コバルト、ニッケル、鉄および銅からなる群から選ばれる、請求項３に記載のグロープラグ。
【請求項５】
前記酸化物は、前記ガラスの１０モルパーセントまたはそれより少なく備える、請求項３に記載のグロープラグ。
【請求項６】
前記ガラスは再結晶微細構造を備える、請求項２に記載のグロープラグ。
【請求項７】
前記ガラスは、実質的に鉛フリーである、請求項２に記載のグロープラグ。
【請求項８】
前記ガラスの成分として、フィラーをさらに備える、請求項２に記載のグロープラグ。
【請求項９】
前記シースは、その長さに沿って変化する外径を有し、前記開口端に隣接する小径部を有する、請求項１に記載のグロープラグ。
【請求項１０】
前記ガラスシールは長さを有し、前記小径部は長さを有し、前記小径部の前記長さは前記ガラスシールの前記長さよりも大きい、請求項９に記載のグロープラグ。
【請求項１１】
前記キャビティ内に配置された保護ガスをさらに備える、請求項１に記載のグロープラグ。
【請求項１２】
前記抵抗加熱素子は、金属ワイヤスパイラルを備える、請求項１に記載のグロープラグ。
【請求項１３】
前記金属ワイヤスパイラルは、タングステン、モリブデン、またはタングステン、モリブデン、ニッケル、鉄、タンタル、ニオブ、チタン、バナジウム、オスミウムおよびクロムを含む合金からなる群から選ばれた金属を備える、請求項１２に記載のグロープラグ。
【請求項１４】
グロープラグのための加熱アセンブリであって、
開口端および閉口端を有する、導電性および熱伝導性のチューブ状のシースと、
前記シースの前記開口端に延在する電極と、
抵抗加熱素子とを備え、前記抵抗加熱素子は、前記シースに配置され、前記電極に電気的に接続される近位端と、前記シースの前記閉口端に電気的に接続される遠位端とを有し、
前記シース内に配置され、前記抵抗加熱素子を取り囲む、電気的に絶縁性で熱伝導性の粉末と、
前記開口端において、前記シースおよび前記電極とかみ合ってシールするように配置されたガラスシールとをさらに備える、加熱アセンブリ。
【請求項１５】
グロープラグのための加熱アセンブリの製造方法であって、
チューブ状のシースプリフォーム、電極および抵抗加熱素子を形成するステップと、
前記電極の遠位端に前記抵抗加熱素子の近位端を取り付けるステップと、
前記抵抗加熱素子とおよび電極を前記チューブ状のシースプリフォームに挿入するステップと、
前記シースの閉口端を形成するために、前記抵抗加熱素子の遠位端を前記チューブ状のシースプリフォームの遠位端に取り付けるステップと、
前記抵抗加熱素子を取り囲むために、電気的に絶縁性で熱伝導性の粉末を前記シースプリフォーム内に配置するステップと、
前記開口端にガラスプリフォームに挿入するステップと、
前記ガラスを溶解し、前記ガラスシールを形成するために十分な温度および時間前記ガラスプリフォームを加熱するステップとを備えた、方法。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
少なくとも１つのテラヘルツ摂動（６）によって、光学媒体（１２）で誘起される一時的な複屈折のワンショット測定方法において、
光パルス信号（２）を放射し、かつ、スペクトル符号化するステップを含み、
前記符号化するステップは、
スーパーコンティニューム（３）を生成することを含み、
前記スーパーコンティニュームの電界を２つの偏光方向に分解し、かつ、前記２つの成分の強度Is及びIpを同時に測定することによって、前記媒体（１２）の前記摂動（６）によって誘起された前記スーパーコンティニュームの偏光の楕円率を復号するステップと組み合わされることを特徴とするワンショット測定方法。
【請求項２】
請求項１に記載のワンショット測定方法であって、
さらに、前記スーパーコンティニューム（３）の前記電界の２つの成分の強度IsとIpとを平衡化するステップを含む方法。
【請求項３】
請求項１または２に記載の測定方法であって、
前記スーパーコンティニューム（３）を生成するステップは、前記光パルス信号（２）のスペクトル及び時間の特性の影響を受けないように、前記光パルス信号（２）の少なくとも一部をモノフィラメントモードで伝播させるフェーズを有する方法。
【請求項４】
請求項１〜３の何れか一項に記載の測定方法であって、
装置の色収差及び空間収差を補正することにより光学補償するステップを少なくとも一つ含む方法。
【請求項５】
請求項１〜４の何れか一項に記載の測定方法であって、
前記符号化するステップは、前記スーパーコンティニューム（３）のすべての波長に対して、同一の幾何学的な経路に沿って前記スーパーコンティニューム（３）を伝播することからなる前記スーパーコンティニューム（３）を伸張するフェーズを含む時間的な形成ステップを含む方法。
【請求項６】
請求項４に記載の測定方法であって、
前記スーパーコンティニューム（３）のスペクトル、空間及び時間の分布を形成するステップを含む方法。
【請求項７】
請求項１〜６の何れか一項に記載の測定方法であって、
iv. 前記テラヘルツ摂動（６）を分析用テラヘルツ摂動（６ａ）及び参照用テラヘルツ摂動（６ｂ）の２つに空間的に分離するステップと、
v. 前記２つの分析用テラヘルツ摂動（６ａ）及び参照用テラヘルツ摂動（６ｂ）を時間的にオフセットするステップと、
vi. 前記スーパーコンティニューム（３）のパルスでの前記２つの分析用テラヘルツ摂動（６ａ）及び参照用テラヘルツ摂動（６ｂ）を符号化するステップと、
を含む方法。
【請求項８】
少なくとも１つのテラヘルツ摂動（６）によって、光学媒体（１２）で誘起される一時的な複屈折のワンショット測定装置において、
光パルス信号（２）の放射源（１４）と、前記光パルス信号（２）をスペクトル符号化する手段（４、１２）とを有し、
前記スペクトル符号化する手段（４、１２）は、
スーパーコンティニューム（３）を生成する手段（４）を有し、
前記スーパーコンティニュームの電界を２つの偏光方向S及びPに分解する手段（３０）によって、前記２つの成分の強度Is及びIpを同時に測定する測定部（４０）と組み合わされることを特徴とするワンショット測定装置。
【請求項９】
請求項８に記載の装置であって、
前記スーパーコンティニューム（３）を生成する手段（４）は、前記パルス光源（１４）の空間及び時間の特性の影響を受けないように、モノフィラメントを形成する手段（１７、１８）を有する装置。
【請求項１０】
請求項９に記載の測定装置であって、
非線形媒体（１８）内でモノフィラメントモードによる伝播閾値に達するまでエネルギーの一部を集中させるために、前記光パルス（２）をフォーカスする手段（１７）を有する装置。
【請求項１１】
請求項９に記載の測定装置であって、
前記光パルスの一部を光ファイバ（１８）に注入するために、前記光パルス（２）をフォーカスする手段（１７）を有する装置。
【請求項１２】
請求項９〜１１の何れか一項に記載の測定装置であって、
前記スーパーコンティニューム（３）の生成に対する空間ゆらぎの影響を弱めるために、前記パルス（２）の光路上に設置された少なくとも１つのフォーカスする手段（１７）と絞りとを有する装置。
【請求項１３】
請求項９〜１２の何れか一項に記載の測定装置であって、
前記分解する手段（３０）は、平衡化素子（３２、３４）を有する装置。
【請求項１４】
請求項１３に記載の測定装置であって、
前記平衡化素子は、偏光子（３４）に付随する４分の１波長板（３２）から成る装置。
【請求項１５】
請求項９〜１２の何れか一項に記載の測定装置であって、
前記分解する手段（３０）は、前記装置の色収差及び空間収差を補正する手段（３５、３６、３８）を有する装置。
【請求項１６】
請求項９〜１５の何れか一項に記載の測定装置であって、
前記分解する手段（３０）は、前記スーパーコンティニューム（３）の前記２つの成分の光路上にそれぞれ配置された第２の偏光分割プレート（３５、３６）を有し、該第２の偏光分割プレート（３５、３６）は、偏光子（３４）の機能と逆の機能をそれぞれ有する装置。
【請求項１７】
請求項９〜１６の何れか一項に記載の測定装置であって、
前記生成する手段（４）は、前記スーパーコンティニューム（３）の時間的な伸張を制御する、分散レンズから成る前記スーパーコンティニューム（３）の適合手段（１９）を有する装置。
【請求項１８】
請求項９〜１７の何れか一項に記載の測定装置であって、
前記スーパーコンティニューム（３）の電界の前記２つの成分の少なくとも１つが、少なくとも１つの光ファイバによって分光器へ伝播される装置。
【請求項１９】
請求項８〜１８の何れか一項に記載の測定装置であって、
さらに、前記テラヘルツ摂動（６）を分析用テラヘルツ摂動（６ａ）及び参照用テラヘルツ摂動（６ｂ）の２つに空間的に分離する手段（５０）と、
前記２つの分析用テラヘルツ摂動（６ａ）及び参照用テラヘルツ摂動（６ｂ）のうちの１つを時間的にオフセットする手段（５２）と、を有する装置。
【請求項２０】
請求項８〜１９の何れか一項に記載の装置を用いた、テラヘルツ分光法。
【請求項２１】
請求項８〜１９の何れか一項に記載の装置を用いた、荷電加速粒子ビームの診断。
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
基板と、
前記基板上に配置された少なくとも１つの検出電極と、
前記少なくとも１つの検出電極の付近に電界を生成するための手段と、
前記少なくとも１つの検出電極に関する特性を測定するための手段と、
を備えることを特徴とする装置。
【請求項２】
前記特性は、電気的特性であり、
前記電気的特性は、前記少なくとも１つの検出電極の前記１つの電極のインピーダンス、抵抗、キャパシタンスのうちの１つである請求項１に記載の装置。
【請求項３】
電気的特性を測定するための手段が、前記少なくとも１つの検出電極の前記１つの電極の電気的特性の時間依存性を測定する請求項２に記載の装置。
【請求項４】
前記基板が電解質を含み、前記少なくとも１つの検出電極の前記１つの電極が前記電解質と電気的に接触している請求項２に記載の装置。
【請求項５】
前記少なくとも１つの検出電極の少なくとも１つの電極の温度を変更するための手段と、
前記少なくとも１つの検出電極の前記少なくとも１つの電極の前記温度を監視するための手段と、
を備え、
前記温度を変更することが、前記測定される電気的特性を変えることである請求項２に記載の装置。
【請求項６】
前記装置は、電気化学電池であり、
前記基板は、電解質を備え、
前記少なくとも１つの検出電極は、少なくとも２つの検出電極であり、
前記少なくとも２つの検出電極は、前記基板上に配置され、且つ、前記電解質と電気的に接触しており、
前記少なくとも１つの検出電極の付近に電界を生成するための手段は、前記少なくとも２つの検出電極の少なくとも１つの電極の付近に電界を生成するための手段を備え、
前記少なくとも１つの検出電極に関する特性を測定するための手段は、前記少なくとも２つの検出電極のうちの１つ以上の電極に関して特性を測定するための手段を備え、
前記少なくとも２つの検出電極の付近に前記電界を生成することが、前記測定される特性を変える請求項１に記載の装置。
【請求項７】
前記特性が、電気的特性または温度である請求項６に記載の装置。
【請求項８】
前記電気的特性が、
前記少なくとも２つの検出電極の２つの電極間の電圧、
前記少なくとも２つの検出電極の２つの電極間を流れる電流、
前記少なくとも２つの検出電極の２つの電極間のインピーダンス、
記少なくとも２つの検出電極の２つの電極間の抵抗、
前記少なくとも２つの検出電極の２つの電極間のキャパシタンス、
のうちの１つである請求項７に記載の装置。
【請求項９】
さらに、前記少なくとも２つの検出電極のうちの少なくとも１つの電極の温度を変更するための手段を備え、前記温度の変更が前記測定される電気的特性を変える請求項７に記載の装置。
【請求項１０】
さらに、前記少なくとも２つの検出電極のうちの少なくとも１つの電極の前記温度を監視するための手段を備える請求項９に記載の装置。
【請求項１１】
前記電界を生成するための手段が、前記基板上に配置された少なくとも１つの電界電極を含む請求項６に記載の装置。
【請求項１２】
前記少なくとも１つの検出電極と前記少なくとも１つの電界電極とが前記基板の対向する側または同じ側に配置されている請求項１１に記載の装置。
【請求項１３】
前記少なくとも１つの電界電極の各々が導電層及び絶縁層を含み、前記絶縁層が前記基板と前記導電層との間に配置されている請求項１１に記載の装置。
【請求項１４】
前記少なくとも２つの検出電極のうちの１つ以上の電極に関して前記電気的特性を測定するための手段が、前記少なくとも２つの検出電極の前記１以上の電極の電気的特性の時間依存性を測定する請求項７に記載の装置。
【請求項１５】
前記電気化学電池が、ガス混合物の成分の濃度を測定するガスセンサ、または、ガスの存在を検知するガスセンサである請求項６に記載の装置。
【請求項１６】
前記少なくとも２つの検出電極の第１の電極が前記電解質の第１の面上に配置され、
前記少なくとも２つの検出電極の第２の電極が前記電解質の前記第１の面上に配置され、
前記少なくとも２つの検出電極のうちの１つ以上の電極に関して特性を測定するための手段が、前記第１の検出電極と前記第２の検出電極との間の電圧を測定するための手段を備える請求項１５に記載の装置。
【請求項１７】
前記少なくとも２つの検出電極のうちの少なくとも１つの電極の付近に電界を生成するための手段が、前記電界を前記第１の検出電極の付近または前記第２の検出電極の付近に生成する請求項１６に記載の装置。
【請求項１８】
前記電界を生成するための手段が、少なくとも１つの電界電極を備え、
前記少なくとも１つの電界電極が、前記第１の検出電極を囲む第１のリング形状の電極を備える請求項１７に記載の装置。
【請求項１９】
前記成分が、ＮＯ（一酸化窒素）、ＮＯ２（二酸化窒素）、アンモニア、ＳＯ２（二酸化硫黄）、ＳＯ２（三酸化硫黄）、炭化水素、Ｈ２（水素）、Ｈ２Ｏ（水）、ＣＯ（一酸化炭素）、及びＣＯ２（二酸化炭素）から成る群から選択される請求項１５に記載の装置。
【請求項２０】
前記電界を生成するための手段が、前記基板と電気的に接触していない請求項６に記載の装置。
【請求項２１】
電解質を含む基板と、
前記電解質と電気的に接触している少なくとも２つの電極と、
前記少なくとも２つの電極のうちの１つ以上の電極の表面を１つ以上のガスに暴露させるための手段と、
電界を前記表面の付近に生成するための手段と、
を備え、
前記電界が、前記１つ以上のガスと前記少なくとも２つの電極のうちの前記１つ以上の電極との触媒反応を変えることを特徴とする触媒反応装置。
【請求項２２】
さらに、前記電解質を前記１つ以上のガスに暴露するための手段を備え、前記電界が前記１つ以上のガスと前記電解質との触媒反応を変える請求項２１に記載の触媒反応装置。
【請求項２３】
さらに、前記少なくとも２つの電極の２つの電極にわたってバイアスを印加するための手段を備える請求項２１に記載の触媒反応装置。
【請求項２４】
前記バイアスを印加するための手段が、電圧源または電流源である請求項２３に記載の触媒反応装置。
【請求項２５】
前記基板が、前記１つ以上のガスが流通することを可能にする多孔質構造体を含み、前記少なくとも２つの電極が前記多孔質構造体内に複数の粒子を含む請求項２１に記載の触媒反応装置。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
粒径測定及び微粒子からの内部蛍光の検出を同時に行うことを含む、不活性微粒子から流体中の生物学的微粒子を区別する方法であって、
蛍光強度が測定されて値を割り当てられ、
粒径及び蛍光強度に基づいて、前記微粒子を不活性又は生物学的のいずれかとして分類するステップを含み、
蛍光が、２つの蛍光検出器を使用して測定され、
前記２つの蛍光検出器のそれぞれが信号を生成し、前記信号が微粒子を分類するための基準データを求めるために比較される、
方法。
【請求項２】
計測対象の様々なサイズの微粒子が含まれるサンプリング領域と、
前記サンプリング領域を通る光線を送るために前記サンプリング領域の一方の側にある光源と、
前記様々なサイズの微粒子によって様々な角度に散乱された前方への散乱光の一部分を受光及び検出するために、光路中前記サンプリング領域の後方に配置され、前記光路中の微粒子のサイズに関する情報を含む出力を生成する粒径検出器と、
微粒子サンプリング領域に配置された１対の対向する楕円ミラーであって、各楕円ミラーが、前記光線及び前記微粒子が交差するポイントに１つの焦点、及び１対の蛍光検出器のうちの１つの上に１つの焦点を有する１対の対向する楕円ミラーと、
を備え、
前記楕円ミラーが前記粒径検出器の面外にある、
微粒子検出器システム。
【請求項３】
前記サンプリング領域から出る非散乱光の少なくとも一部分を遮断するための、前記サンプリング領域の前記光源から反対側にある光線遮断デバイスを更に備える、請求項２に記載のシステム。
【請求項４】
前記サンプリング領域の前記光源から反対側にあるコリメーティングレンズと、
前記コリメーティングレンズの後方に配置され、前方への散乱光の一部分を、当該前方への散乱光の一部分を前記粒径検出器へ合焦する集光レンズに反射する光学要素と、
を更に備え、
前記非散乱光が、前記集光レンズの前の光線遮断器によって遮られるか、あるいは光ダンプに向かって前記光学要素を通過する、
請求項２に記載のシステム。
【請求項５】
前記光源が、約２７０乃至約４１０ｎｍの範囲の波長を有する光を放射する、請求項２に記載のシステム。
【請求項６】
所定の時間に粒径の分布及び微粒子の蛍光を処理し、出力デバイスに信号を表示する処理ユニットを更に備える、請求項２に記載のシステム。
【請求項７】
検出された粒径と、検出された内部蛍光と、を統合するコンピュータ読取可能プログラムコードを更に備える、請求項２に記載のシステム。
【請求項８】
計測対象の様々なサイズの微粒子が含まれるサンプリング領域と、
前記サンプリング領域を通る光線を送るために前記サンプリング領域の一方の側にある光源と、
前記様々なサイズの微粒子によって様々な角度に散乱された前方への散乱光の一部分を受光及び検出するために、光路中前記サンプリング領域の後方に配置され、前記光路中の所定のサイズの範囲内の微粒子のサイズに関する情報を含む出力を生成する第１の検出器と、
前記光路中の微粒子からの内部蛍光を検出するために前記光線に対して直角に配置された第２の検出器と、
前記サンプリング領域及び前記光線の交点が楕円体の一方の焦点にあり、前記第２の検出器が他方の焦点にあるように微粒子サンプリング領域に配置された楕円ミラーと、
前記サンプリング領域及び前記光線の交点が球体の焦点にあるように、前記楕円ミラーと対向して配置された球面ミラーと、
を備える微粒子検出器システム。
【請求項９】
前記サンプリング領域から出る非散乱光の少なくとも一部分を遮断するための、前記サンプリング領域の前記光源から反対側にある光線遮断デバイスを更に備える、請求項８に記載のシステム。
【請求項１０】
前記サンプリング領域の前記光源から反対側にあるコリメーティングレンズと、
前方への散乱光の一部分を、当該前方への散乱光の一部分を前記粒径検出器へ合焦する集光レンズに反射するミラーと、
を更に備え、
前記非散乱光が前記集光レンズへ反射されず、
前記非散乱光が前記集光レンズの前の光線遮断器によって遮られるか、あるいは光ダンプに向かって前記光学要素を通過する、
請求項８に記載のシステム。
【請求項１１】
前記蛍光検出器が、内部蛍光を検出するために前記光線に対して直角に配置されており、
前記蛍光検出器が、前記光線の両側に配置されている、
請求項２に記載のシステム。
【請求項１２】
前記光源がＵＶレーザ、可視光レーザ、又はＬＥＤである、請求項５に記載のシステム。
【請求項１３】
前記コリメーティングレンズと、前記集光レンズと、が互いに９０°の方向に向けられ、前記光学要素がミラーである、請求項４に記載のシステム。
【請求項１４】
蛍光を発する所定のサイズの範囲内の微粒子が検出されたとき警告信号を供給する警報器を更に備える、請求項８に記載のシステム。
【請求項１５】
前記光源が、約２７０乃至約４１０ｎｍの範囲の波長を有する光を放射する、請求項８に記載のシステム。
【請求項１６】
前記光源がＵＶレーザ、可視光レーザ、又はＬＥＤである、請求項８に記載のシステム。
【請求項１７】
所定の時間に粒径の分布及び微粒子の蛍光を処理し、出力デバイスに信号を表示する処理ユニットを更に備える、請求項８に記載のシステム。
【請求項１８】
検出された粒径と、検出された内部蛍光と、を統合するコンピュータ読取可能プログラムコードを更に備える、請求項８に記載のシステム。
【請求項１９】
前記コリメーティングレンズと、前記集光レンズと、が互いに９０°の方向に向けられている、請求項１０に記載のシステム。
【請求項２０】
前記楕円ミラー及び前記球面ミラーが、前記楕円ミラーの表面及び前記球面ミラーが交わるよう、前記微粒子サンプリング領域の周囲に配置されている、請求項８に記載のシステム。
【手続補正書】
【提出日】平成24年5月24日(2012.5.24)
【手続補正１】
【補正対象書類名】明細書
【補正対象項目名】０００４
【補正方法】変更
【補正の内容】
【０００４】
チャンバー内の生産物が熱を発する間に、高い温度・湿度条件で操作する必要性も市場において存在する。チャンバー内の生産物又は熱負荷は、２つのカテゴリーのうち１つに該当する：熱を発する熱負荷は、「活荷重（live load）」と呼ばれ、熱を発しない熱負荷は、「死荷重（dead load）」と呼ばれる。活荷重を含むシステムにおいて高い温度・湿度条件を維持することは、課題である。現在のシステムは、温度・湿度範囲を制限し、活荷重によって許容可能である熱放散の量を制限するか、あるいはその機器の全体的な使用を制限するように特殊化される。
［先行技術文献］
【特許文献１】米国特許出願公開２００３／０１７２７５１Ａ１号明細書
【特許文献２】中国特許出願公開第１６９９８５５Ａ号明細書
【誤訳訂正書】
【提出日】平成23年12月5日(2011.12.5)
【誤訳訂正１】
【訂正対象書類名】明細書
【訂正対象項目名】００６１
【訂正方法】変更
【訂正の内容】
【００６１】
標識及び／又は他のｓｐｓメンバーは、ｓｂｐメンバー又は別の分子に結合させることができる。たとえば、標識は、ｓｂｐメンバー、たとえば抗体、抗体のための受容体、抗体にコンジュゲートした小分子に結合することができる受容体又はリガンド類似体に共有結合させることができる。ｓｂｐメンバーへの標識の結合は、標識の水素原子をｓｂｐメンバーへの結合手で置換することを生じさせる化学反応によって達成することもできるし、標識とｓｐｂメンバーとの間の連結基を含むこともできる。他のｓｐｓメンバーもまた、ｓｂｐメンバーに共有結合させることができる。たとえば、二つのｓｐｓメンバー、たとえば発蛍光体及び消光剤それぞれを、分析対象とで特異的複合体を形成する異なる抗体に結合させることができる。複合体の形成は、発蛍光体と消光剤とを近接させて、それにより、消光剤が発蛍光体と相互作用してシグナルを生成することを可能にする。コンジュゲーションの方法は当該技術で周知である。たとえば、参照によって本明細書に組み込まれるRubensteinらへの米国特許第３，８１７，８３７号を参照すること。
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
式Ｉ
【化１】
2011506531.tif 000001
のアミンを、式ＩＩ
【化２】
2011506531.tif 000002
のカルボニル化合物を
式ＩＩＩ
【化３】
2011506531.tif 000003
のアミンと反応させることにより製造する方法において
［式中、
Ｒ1およびＲ2は異なり、それぞれが１〜２０個の炭素原子を有しかつ場合によりヘテロ原子を含んでもよい有機基であり、
Ｒ3は、Ｃ1−Ｃ6−アルキル基であり、ならびに
Ｒ4は、部分的または完全にハロゲン化されていてもよく、および／またはシアノ、ニトロ、Ｃ1−Ｃ6−アルキル、Ｃ1−Ｃ6−ハロアルキル、ヒドロキシル、Ｃ1−Ｃ6−ヒドロキシアルキル、Ｃ1−Ｃ6−アルコキシ、Ｃ1−Ｃ6−ハロアルコキシ、ヒドロキシカルボニル、Ｃ1−Ｃ6−アルコキシカルボニル、Ｃ1−Ｃ6−アルキルアミノ、ジ（Ｃ1−Ｃ6−アルキル）アミノ、アリールおよびアリール（Ｃ1−Ｃ6−アルキル）の群の内の１〜３個の基を有してもよいアリール基であり；
かつ
＊はＳまたはＲ立体配置を表し、および
＊＊はＳおよび／またはＲ立体配置を表す］、
不均一イミノ化触媒、水素化触媒および水素の存在下で前記反応を行い、その際、不均一イミノ化触媒は、無機酸化物または混合酸化物を含むことを特徴とする方法。
【請求項２】
Ｒ1およびＲ2が異なり、それぞれが１〜２０個の炭素原子を有する炭化水素基である、請求項１に記載の方法。
【請求項３】
Ｒ3がメチル基である、請求項１または２に記載の方法。
【請求項４】
Ｒ4がフェニル基または１−ナフチル基である、請求項１から３までのいずれか１項に記載の方法。
【請求項５】
不均一イミノ化触媒が珪酸塩、またはケイ素を含む混合酸化物である、請求項１から４までのいずれか１項に記載の方法。
【請求項６】
水素化触媒が不均一銅触媒である、請求項１から５までのいずれか１項に記載の方法。
【請求項７】
水素化触媒が、その全質量に対して、銅を１〜９５質量％含む、請求項１から６までのいずれか１項に記載の方法。
【請求項８】
銅水素化触媒が担持触媒である、請求項１から７までのいずれか１項に記載の方法。
【請求項９】
反応が溶媒の存在下で、またはバルク反応において行われる、請求項１から８までのいずれか１項に記載の方法。
【請求項１０】
反応が標準圧力から２００バールまでで行われる、請求項１から９までのいずれか１項に記載の方法。
【請求項１１】
反応が室温から反応混合物の還流温度までで行われる、請求項１から１０までのいずれか１項に記載の方法。
【請求項１２】
反応が一段階で行われ、場合により形成される中間物が分離されない、請求項１から１１までのいずれか１項に記載の方法。
【請求項１３】
式ＩＶ
【化４】
2011506531.tif 000004
のキラルアミンを製造する方法において、以下の工程、すなわち
ａ）式ＩＩ
【化５】
2011506531.tif 000005
のカルボニル化合物を、式ＩＩＩ
【化６】
2011506531.tif 000006
のアミンと反応させて式Ｉ
【化７】
2011506531.tif 000007
のアミンを得る工程
［式中、
Ｒ1およびＲ2は異なり、それぞれが１〜２０個の炭素原子を有しかつ場合によりヘテロ原子を含んでもよい有機基であり、
Ｒ3は、Ｃ1−Ｃ6−アルキル基であり、ならびに
Ｒ4は、部分的または完全にハロゲン化されていてもよく、および／またはシアノ、ニトロ、Ｃ1−Ｃ6−アルキル、Ｃ1−Ｃ6−ハロアルキル、ヒドロキシル、Ｃ1−Ｃ6−ヒドロキシアルキル、Ｃ1−Ｃ6−アルコキシ、Ｃ1−Ｃ6−ハロアルコキシ、ヒドロキシカルボニル、Ｃ1−Ｃ6−アルコキシカルボニル、Ｃ1−Ｃ6−アルキルアミノ、ジ（Ｃ1−Ｃ6−アルキル）アミノ、アリールおよびアリール（Ｃ1−Ｃ6−アルキル）の群の内の１〜３個の基を有してもよいアリール基であり；
かつ
＊はＳまたはＲ立体配置を表し、および
＊＊はＳおよび／またはＲ立体配置を表す］と、
ｂ）および工程ａ）から得られた式Ｉのアミンを引き続き水素化分解により開裂する工程とを包含する方法。
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
対象者の髪の流れに沿って髪の根元を修正するシステムであり、システムに、多量の髪に着色するスプレーの組成；前記髪に着色する組成がミストとして施される前記容器の一端の放出口１２が容器に含まれる多量の髪に着色する組成が保管される容器１０；および前記容器１０の放出口の端部に取り付けられるシールド３０を含み；前記シールド３０に内側の表面３０aおよび外側の表面３０bを有する複数の歯を含み、前記容器と前記シールドが前記シールドの外側の表面３０bにミスト化した組成が施されるように構成され、前記シールドが該対象者の頭皮に対して押圧される場合および髪に着色する組成が前記シールドの前記３０bの外側表面にミストとして施される場合に、前記シールドの前記歯が、i) 前記髪の根元の領域の色が変化するように、該髪の根元の領域が、前記歯の間の隙間を通過し、前記容器から施される前記髪に着色する組成にさらされ、一方で、ii) 前記歯は髪に着色する組成が個人の頭皮に達するのを本質的に遮断するような幅、厚みおよび間隔を有するシステム。
【請求項２】
i) 前記歯が互いに並行である；およびii) 前記シールドが前記容器に取り付けられるため、髪に着色するスプレーの組成が前記歯に本質的に並行な方向にスプレーとして放出口１２から放出される、請求項１のシステム。
【請求項３】
髪に着色するスプレーの組成が髪の根元をコーティングするように構成されたコーティング組成である、請求項１から２のいずれかのシステム。 
【請求項４】
髪に着色するスプレーの組成に一時的着色料を含む、請求項１から３のいずれかのシステム。  
【請求項５】
髪に着色するスプレーの組成に、髪に着色するスプレーの組成がスプレーとして施される際ミスト化する揮発性溶媒溶液を含む、請求項１から４のいずれかのシステム。
【請求項６】
髪に着色する組成が速乾性の組成である、請求項１から５のいずれかのシステム。
【請求項７】
髪に着色するスプレーの組成に推進剤を含む、請求項１から６のいずれかのシステム。
【請求項８】
容器内に保存すると髪に着色するスプレーの組成が加圧される、請求項１から７のいずれかのシステム。
【請求項９】
個人の髪の根元を修正する方法であり、該方法に、a) 前記シールドに一方の方向に面する内側３０aおよび逆の方向に面する内側３０bを含み、複数の接近した間隔を置かれた歯を形成するシールドを提供する方法；b) 前記シールドが固定されている場合、および前記シールド３０の内側３０aが個人の頭皮向きに配列し、個人の頭皮に対して押圧され、修正される髪の根元の領域が前記歯の間の隙間で得られる場合、i) 前記髪に着色する組成が、前記歯の間の隙間を通過している髪の根元の領域を着色する、一方で、ii) 前記シールドの近接した間隔を置かれた歯が、シールド３０の内側３０a経由で外側３０bから頭皮を髪に着色する組成の経路を遮断するように、外側表面３０b上に髪に着色する組成をスプレーし、外側表面３０bにミストを形成する方法が含まれる方法。
【請求項１０】
髪に着色する組成が速乾性の組成である、請求項９の方法。
【請求項１１】
髪に着色するスプレーの組成に一時的着色料を含む、請求項９から１０のいずれかの方法。
【請求項１２】
髪に着色するスプレーの組成が髪の根元をコーティングするように構成されたコーティング組成である、請求項９から１１のいずれかの方法。
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
式（Ｉ）の化合物またはその塩：
【化１】
2011506551.tif 000001
（式中：
ｎは、０、１、２または３であり；
Ｒ１は、フェニルおよびピリジルから選択され、これらは各々、場合により、Ｃ１−４アルキルおよびハロゲンから独立して選択される一つまたは二つの基で置換されていてもよく；
Ｒ２は、ｎが１の場合、ＨまたはＣＨ３から選択され；Ｒ２は、ｎが２または３の場合Ｈである。）。
【請求項２】
ｎが０である、請求項１に記載の化合物。
【請求項３】
Ｒ２がＨであり、ｎが１、２または３である、請求項１に記載の化合物。
【請求項４】
Ｒ１が、場合によりハロゲンで、または一つもしくは二つのＣ１−４アルキルで置換されていてもよいピリジルである、請求項１〜３のいずれか一項に記載の化合物。
【請求項５】
Ｎ−［（２Ｓ）−５−（フェニルオキシ）−２，３−ジヒドロ−１Ｈ−インデン−２−イル］−２−プロパンスルホンアミド；
Ｎ−｛（２Ｓ）−５−［（６−メチル−３−ピリジニル）オキシ］−２，３−ジヒドロ−１Ｈ−インデン−２−イル｝−２−プロパンスルホンアミド；
Ｎ−［（２Ｓ）−５−（２−ピリジニルオキシ）−２，３−ジヒドロ−１Ｈ−インデン−２−イル］−２−プロパンスルホンアミド；
Ｎ−｛（２Ｓ）−５−［（５−フルオロ−２−ピリジニル）オキシ］−２，３−ジヒドロ−１Ｈ−インデン−２−イル｝−２−プロパンスルホンアミド；
Ｎ−｛（２Ｓ）−５−［（２−メチル−３−ピリジニル）オキシ］−２，３−ジヒドロ−１Ｈ−インデン−２−イル｝−２−プロパンスルホンアミド；
Ｎ−｛（２Ｓ）−５−［（４−メチル−３−ピリジニル）オキシ］−２，３−ジヒドロ−１Ｈ−インデン−２−イル｝−２−プロパンスルホンアミド；
Ｎ−｛（２Ｓ）−５−［（６−メチル−２−ピリジニル）オキシ］−２，３−ジヒドロ−１Ｈ−インデン−２−イル｝−２−プロパンスルホンアミド；
Ｎ−｛（２Ｓ）−５−［（５−メチル−２−ピリジニル）オキシ］−２，３−ジヒドロ−１Ｈ−インデン−２−イル｝−２−プロパンスルホンアミド；
Ｎ−｛（２Ｓ）−５−［（４−メチル−２−ピリジニル）オキシ］−２，３−ジヒドロ−１Ｈ−インデン−２−イル｝−２−プロパンスルホンアミド；
である化合物、またはその塩。
【請求項６】
Ｎ−｛（２Ｓ）−５−［（２−ピリジニルメチル）オキシ］−２，３−ジヒドロ−１Ｈ−インデン−２−イル｝−２−プロパンスルホンアミド；
Ｎ−（（２Ｓ）−５−｛［（２−メチル−３−ピリジニル）メチル］オキシ｝−２，３−ジヒドロ−１Ｈ−インデン−２−イル）−２−プロパンスルホンアミド；
Ｎ−（（２Ｓ）−５−｛［（６−メチル−３−ピリジニル）メチル］オキシ｝−２，３−ジヒドロ−１Ｈ−インデン−２−イル）−２−プロパンスルホンアミド；
Ｎ−｛（２Ｓ）−５−［（３−ピリジニルメチル）オキシ］−２，３−ジヒドロ−１Ｈ−インデン−２−イル｝−２−プロパンスルホンアミド；
Ｎ−（（２Ｓ）−５−｛［３−（３−ピリジニル）プロピル］オキシ｝−２，３−ジヒドロ−１Ｈ−インデン−２−イル）−２−プロパンスルホンアミド；
Ｎ−（（２Ｓ）−５−｛［３−（６−メチル−３−ピリジニル）プロピル］オキシ｝−２，３−ジヒドロ−１Ｈ−インデン−２−イル）−２−プロパンスルホンアミド；
Ｎ−（（２Ｓ）−５−｛［２−（３−ピリジニル）エチル］オキシ｝−２，３−ジヒドロ−１Ｈ−インデン−２−イル）−２−プロパンスルホンアミド；
Ｎ−（（２Ｓ）−５−｛［（２，６−ジメチル−３−ピリジニル）メチル］オキシ｝−２，３−ジヒドロ−１Ｈ−インデン−２−イル）−２−プロパンスルホンアミド；
Ｎ−｛（２Ｓ）−５−［（４−ピリジニルメチル）オキシ］−２，３−ジヒドロ−１Ｈ−インデン−２−イル｝−２−プロパンスルホンアミド；
Ｎ−（（２Ｓ）−５−｛［（２−メチル−４−ピリジニル）メチル］オキシ｝−２，３−ジヒドロ−１Ｈ−インデン−２−イル）−２−プロパンスルホンアミド；
Ｎ−（（２Ｓ）−５−｛［（１Ｓ）−１−（６−メチル−３−ピリジニル）エチル］オキシ｝−２，３−ジヒドロ−１Ｈ−インデン−２−イル）−２−プロパンスルホンアミド；
Ｎ−（（２Ｓ）−５−｛［（１Ｒ）−１−（６−メチル−３−ピリジニル）エチル］オキシ｝−２，３−ジヒドロ−１Ｈ−インデン−２−イル）−２−プロパンスルホンアミド；
である化合物、またはその塩。
【請求項７】
請求項１〜６のいずれか一項に記載の化合物、またはその薬学上許容可能な塩。
【請求項８】
請求項７に記載の化合物またはその薬学上許容可能な塩を含んでなる医薬組成物。
【請求項９】
少なくとも一種の薬学上許容可能な担体または希釈剤をさらに含有する、請求項８に記載の医薬組成物。
【請求項１０】
哺乳動物におけるグルタミン酸受容体機能の低下または不均衡に起因する疾患または状態の治療における使用のための、請求項８または９に記載の医薬組成物。
【請求項１１】
疾患が神経変性疾患である、請求項１０に記載の医薬組成物。
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
人形のような顔(doll’s face)または凍ったような顔(frozen face)として知られる副作用の軽減または防止がもたらされる、ヒトまたは動物の顔の美容的処置剤であって、ボツリヌス菌毒素複合体の神経毒成分からなる、美容的処置剤。
【請求項２】
ヒトまたは動物が、ボツリヌス毒素複合体で治療されており、ボツリヌス毒素複合体による前記治療の結果として人形のような顔または凍ったような顔になっている、請求項1に記載の美容的処置剤。
【請求項３】
前記顔の美容的処置が、皮膚の顔のラインまたは顔のしわを滑らかにすることである、請求項1または2に記載の美容的処置剤。
【請求項４】
ヒトまたは動物が、皮膚の顔のラインまたは顔のしわを滑らかにするためにボツリヌス毒素複合体で治療されている、請求項1から3のいずれか一項に記載の美容的処置剤。
【請求項５】
顔のラインまたは顔のしわが、眉間じわのライン、顔をしかめたときのライン、心配じわ、マリオネットライン、額の水平ライン、カラスの足跡、鼻口周囲のしわ、あごの縦溝、橙皮状皮膚のあご、および/または広頸筋帯からなる群から選択される、請求項4に記載の美容的処置剤。
【請求項６】
神経毒成分が筋肉内または皮下に注射されるものである、請求項1から5のいずれか一項に記載の美容的処置剤。
【請求項７】
神経毒成分が、滑らかにする皮膚の顔のラインまたは顔のしわに直接注射されるものである、請求項6に記載の美容的処置剤。
【請求項８】
神経毒成分が、滑らかにする皮膚のラインまたはしわの形成に関与する1つまたは2つの顔面筋または筋肉に直接またはその近くに注射されるものである、請求項6に記載の美容的処置剤。
【請求項９】
筋肉が、皺眉筋、眼輪筋、鼻根筋、後頭前頭筋の前頭筋、眼輪筋の眼窩部、鼻筋、上唇:口輪筋、下唇:口角下制筋、おとがい筋および広頸筋からなる群から選択される、請求項8に記載の美容的処置剤。
【請求項１０】
神経毒成分がA型、B型、C型、D型、E型、F型、G型、または前記型の2つ以上の混合物からなる群から選択される、請求項1から9のいずれか一項に記載の美容的処置剤。
【請求項１１】
神経毒複合体が200kDa未満の分子量を有する、請求項1から10のいずれか一項に記載の美容的処置剤。
【請求項１２】
神経毒成分が生理食塩水に溶解したものである、請求項1から11のいずれか一項に記載の美容的処置剤。
【請求項１３】
神経毒成分の量が、2pg〜50ngである、請求項1から12のいずれか一項に記載の美容的処置剤。
【請求項１４】
神経毒成分が神経毒成分1ng当たりLD50単位50〜250の生物活性を有する、請求項13に記載の美容的処置剤。
【請求項１５】
請求項1から14のいずれか一項に記載の美容的処置剤を含む、ヒトまたは動物の顔の美容的処置用組成物。
【請求項１６】
ボツリヌス菌毒素複合体による、筋肉または外分泌腺の活動亢進状態のコリン作動性神経支配によって引き起こされるまたはそれに伴う疾患または障害の治療に伴う副作用を起こしやすいヒトまたは動物の前記疾患または障害用治療剤であって、ボツリヌス菌毒素複合体の神経毒成分からなる、治療剤。
【請求項１７】
副作用が、注射部位における疼痛、ひりひりする痛みまたは挫傷、熱(発熱)、インフルエンザ様症状、嚥下の際の困難または疼痛(嚥下障害)、発疹またはそう痒、柔らかい眼瞼組織の挫傷、上眼瞼の下垂、眼の光に対する感受性、眼への刺激、ドライアイ、流涙、顔面腫脹、眼瞼を閉じることの困難、眼の前部(角膜)の炎症、めまい、固縮の増進、筋肉の硬直またはひりひりする痛み、しびれ感、脱力感、傾眠、悪心、気分がすぐれない/倦怠感があるという一般的な感情、ウイルス感染または耳感染、尿失禁、眠気、刺痛、上肢痛、筋肉の固縮の増進、治療されていない領域からの発汗の増加、顔面紅潮のうち1つまたは複数である、請求項16に記載の治療剤。
【請求項１８】
ヒトまたは動物が、ボツリヌス毒素複合体で治療されており、ボツリヌス毒素複合体による前記治療の結果として請求項17で定義される副作用のうち1つまたは複数を起こしていた、請求項16または17に記載の治療剤。
【請求項１９】
神経毒成分が筋肉内または皮下に注射されるものである、請求項16から18のいずれか一項に記載の治療剤。
【請求項２０】
神経毒成分が、1もしくは2ヵ所の筋肉または1もしくは2ヵ所の外分泌腺に直接またはその近くに注射されるものである、請求項19に記載の治療剤。
【請求項２１】
筋肉が、同側の板状筋、対側の胸鎖乳突筋、同側の胸鎖乳突筋、頭板状筋、斜角筋複合体、肩甲挙筋、椎骨後方部、同側の僧帽筋、肩甲挙筋、両側の頭板状筋、上部僧帽筋、椎骨後方深部、両側の胸鎖乳突筋、斜角筋複合体、おとがい下複合体、腕橈骨筋、上腕二頭筋、方形回内筋、円回内筋、橈側手根屈筋、尺側手根屈筋、手の長母指屈筋、手の母指内転筋、手の短母指屈筋/対抗筋、浅指屈筋、深指屈筋である、請求項20に記載の治療剤。
【請求項２２】
外分泌腺が、汗腺、涙腺、唾液腺および粘膜腺;またはフレー症候群、ワニの涙症候群、腋の多汗症、手掌の多汗症、足底の多汗症、頭頸部の多汗症、体の多汗症、鼻漏、もしくは脳卒中患者の相対的な流涎、パーキンソン病もしくは筋萎縮性側索硬化症からなる群から選択される疾患もしくは状態に関連する腺である、請求項20に記載の治療剤。
【請求項２３】
神経毒成分がA型、B型、C型、D型、E型、F型、G型、または前記型の2つ以上の混合物からなる群から選択される、請求項16から22のいずれか一項に記載の治療剤。
【請求項２４】
神経毒複合体が200kDa未満の分子量を有する、請求項16から23のいずれか一項に記載の治療剤。
【請求項２５】
神経毒成分が生理食塩水に溶解したものである、請求項16から24のいずれか一項に記載の治療剤。
【請求項２６】
神経毒成分の量が2pg〜50ngである、請求項16から25のいずれか一項に記載の治療剤。
【請求項２７】
神経毒成分が、神経毒成分1ng当たりLD50単位50〜250の生物活性を有する、請求項26に記載の治療剤。
【請求項２８】
請求項16から27のいずれか一項に記載の治療剤を含む、ヒトまたは動物における、筋肉または外分泌腺の活動亢進状態のコリン作動性神経支配によって引き起こされるまたはそれに伴う疾患または障害の治療用組成物。
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
コラーゲン加水分解物とともにローズヒップからの抗炎症性植物抽出物を含む組成物。
【請求項２】
前記ローズヒップからの植物抽出物は、以下の工程：
ａ）水または水と５０重量％までのエタノールとの混合物によってローズヒップを抽出し単一抽出物を得る工程；
ｂ）ｂ１）酵素による発酵；
ｂ２）膜ろ過
の少なくとも１つの工程によって得られた単一抽出物を精製する工程：
ｃ）抽出物を乾燥する工程、
を含む方法によって得られ得る、請求項１に記載の組成物。
【請求項３】
以下の工程：
ａ）水または水と５０重量％までのエタノールとの混合物によってローズヒップの皮を抽出し単一抽出物を得る工程；
ｂ）ｂ１）酵素による発酵；
ｂ２）膜ろ過
の少なくとも１つの工程によって得られた単一抽出物を精製する工程：
ｃ）抽出物を乾燥する工程、
を含む、ローズヒップから乾燥抽出物を調製する方法。
【請求項４】
前記乾燥は、コラーゲン加水分解物とともに行われることを特徴とする、請求項３に記載の方法。
【請求項５】
請求項３または４のいずれかに記載の方法によって得られ得る抽出物。
【請求項６】
関節の病気の症状の予防または緩和のための薬剤もしくは栄養補助食品もしくは均衡食の調製のための請求項５に記載の抽出物または請求項１または２の少なくとも１項に記載の組成物の使用。
【請求項７】
関節の慢性的炎症、関節リウマチ、リウマチスペクトル（rheumatic spectrum）の病気、脊椎炎、骨関節症、関節症、線維筋痛における症状の予防もしくは緩和のための、または関節捻挫もしくは椎間板圧縮後のリハビリテーションをサポートするための、請求項６に記載の使用。
【請求項８】
錠剤、そしゃく錠剤（chewing tablet）、硬質ゼラチンカプセル、軟質ゼラチンカプセル、トローチ剤、スティック、小袋の形態、または単回投与アンプル、流体およびシロップのような液体投与形式の形態の、請求項５に記載の抽出物または請求項１または２の少なくとも１項に記載の組成物を含む薬剤。
【請求項９】
錠剤、そしゃく錠剤、硬質ゼラチンカプセル、軟質ゼラチンカプセル、トローチ剤、スティック、小袋の形態、または単回投与アンプル、流体およびシロップのような液体投与形式の形態の、請求項５に記載の抽出物または請求項１または２の少なくとも１項に記載の組成物を含む栄養補助食品。
【請求項１０】
錠剤、そしゃく錠剤、硬質ゼラチンカプセル、軟質ゼラチンカプセル、トローチ剤、スティック、小袋の形態、または単回投与アンプル、流体およびシロップのような液体投与形式の形態の、請求項５に記載の抽出物または請求項１または２の少なくとも１項に記載の組成物を含む均衡食。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
液体形態又は固体形態の組成物であって、
遊離形態の少なくとも１種のタンパク質活性成分と、
液体形態では、４より大きく８以下のpHに該組成物を緩衝化できる系、又は固体形態では、該組成物を液体媒体に入れたとき、４より大きいpHから８以下のpHで緩衝作用を発揮する系とを含み、
前記少なくとも１種のタンパク質活性成分の経口経路による投与用の薬物として使うための組成物。
【請求項２】
少なくとも１種のタンパク質活性成分を含む、経口経路による投与のための、液体形態又は固体形態の医薬組成物であって、
該組成物が、遊離形態の少なくとも１種のタンパク質活性成分と、
液体形態では、４より大きく、８以下のpHに該組成物を緩衝化できる系、又は固体形態では、該組成物を液体媒体に入れたとき、４より大きいpHから８以下のpHで緩衝作用を発揮する系とを含むことを特徴とする組成物。
【請求項３】
遊離形態の前記少なくとも１種のタンパク質活性成分の、液体形態では、該組成物を４より大きく、８以下のpHに緩衝化できる系、又は固体形態では、該組成物を液体媒体に入れたとき、４より大きいpHから８以下のpHで緩衝作用を発揮する系との調合によって得られる、請求項１又は２に記載の組成物。
【請求項４】
前記緩衝pHが、4.5〜7.5、非常に有利には５〜７であることを特徴とする請求項１〜３のいずれか１項に記載の組成物。
【請求項５】
前記少なくとも１種のタンパク質活性成分が、
−インスリン並びにその類似体及び誘導体、
−ソマトトロピン及びその誘導体、
−カルシトニン、及び
−LHRH類似体
の中から選択されることを特徴とする請求項１〜４のいずれか１項に記載の組成物。
【請求項６】
前記少なくとも１種のタンパク質活性成分が、インスリン並びにその類似体及び誘導体の中から選択されることを特徴とする請求項１〜５のいずれか１項に記載の組成物。
【請求項７】
前記緩衝作用に関与する前記系が、リン酸、酢酸、マレイン酸、フタル酸、コハク酸、クエン酸、イミダゾール、テトラブチルアンモニウム、トリヒドロキシメチルアミノメタン、トリス-グリシン、バルビトール、トリス-EDTA BSA、硫酸銅及び双性イオン緩衝液の中から選択される緩衝液であることを特徴とする請求項１〜６のいずれか１項に記載の組成物。
【請求項８】
単位形態で調合されることを特徴とする請求項１〜７のいずれか１項に記載の組成物。
【請求項９】
液体として、溶液、懸濁液若しくはシロップの形態、或いは固体として、錠剤、特に分散性、口腔内分散性若しくは発泡性錠剤、カプセル剤、散剤、発泡性散剤、顆粒剤、発泡性顆粒剤又は凍結乾燥品の形態であることを特徴とする請求項１〜８のいずれか１項に記載の組成物。
【請求項１０】
固体医薬製剤、特に分散性錠剤又は発泡性錠剤の形態であることを特徴とする請求項１〜９のいずれか１項に記載の組成物。
【請求項１１】
前記緩衝作用に関与する前記系が、前記少なくとも１種のタンパク質活性成分とは別に調合されることを特徴とする請求項１〜７のいずれか１項に記載の組成物。
【請求項１２】
請求項１〜１１のいずれか１項に記載の組成物の調製方法であって、遊離形態の前記少なくとも１種のタンパク質活性成分の、液体形態では、該組成物を４より大きく、８以下のpHに緩衝化できる系、又は固体形態では、該組成物を液体媒体に入れたとき、４より大きいpHから８以下のpHで緩衝作用を発揮する系との調合を含むことを特徴とする前記方法。
【請求項１３】
液体形態又は固体形態の医薬組成物であって、
−遊離形態の、インスリン、その類似体及びその誘導体の中から選択される少なくとも１種のタンパク質活性成分、及び
−液体形態では、該組成物を５〜７のpHに緩衝化できる系、又は固体形態では、該組成物を液体媒体に入れたとき、５〜７のpHで緩衝作用を発揮できる系、
を含むことを特徴とする医薬組成物。
【請求項１４】
前記緩衝作用に関与する前記系が、リン酸、酢酸、マレイン酸、フタル酸、コハク酸、クエン酸、イミダゾール、テトラブチルアンモニウム、トリヒドロキシメチルアミノメタン、トリス-グリシン、バルビトール、トリス-EDTA BSA、硫酸銅及び双性イオン緩衝液の中から選択される緩衝液であることを特徴とする請求項１３記載の組成物。
【請求項１５】
組成物が単位形態で調合されることを特徴とする請求項１３または１４記載の組成物。
【請求項１６】
液体として、溶液、懸濁液またはシロップの形態であり、又は固体として、錠剤、特に分散性、口腔内分散性若しくは発泡性錠剤、カプセル剤、散剤、発泡性散剤、顆粒剤、発泡性顆粒剤及び凍結乾燥品の形態であることを特徴とする請求項１３〜１５のいずれか一項に記載の組成物。
【請求項１７】
固体医薬製剤、特に分散性錠剤又は発泡性錠剤の形態であることを特徴とする請求項１３〜１６のいずれか一項に記載の組成物。
【請求項１８】
緩衝作用に関与する前記系が、少なくとも１種のタンパク質活性成分とは別に調合されていることを特徴とする請求項１３または１４に記載の組成物。
【請求項１９】
経口投与により糖尿病を治療するための、請求項１３〜１８のいずれか一項に記載の組成物。
【請求項２０】
経口投与により糖尿病を治療するための医薬組成物を製造するための、緩衝系の使用であって、
前記医薬組成物が液体形態又は固体形態であり、遊離形態の、インスリン、その類似体及びその誘導体の中から選択される少なくとも１種のタンパク質活性成分を緩衝系と共に含み、
前記緩衝系が、前記液体形態の医薬組成物を５〜７のpHに緩衝化できる系、又は前記固体形態の医薬組成物を液体媒体に入れたとき、５〜７のpHで緩衝作用を発揮できる系である、ことを特徴とする上記使用。
【請求項２１】
経口投与により糖尿病を治療するための医薬組成物を製造するための、緩衝系の使用であって、
前記医薬組成物が液体形態又は固体形態であり、遊離形態の、インスリン、その類似体及びその誘導体の中から選択される少なくとも１種のタンパク質活性成分を緩衝系と共に含み、
前記緩衝系が、前記液体形態の医薬組成物を４より大きく８以下のpHに緩衝化できる系、又は前記固体形態の医薬組成物を液体媒体に入れたとき、４より大きく８以下のpHで緩衝作用を発揮できる系である、ことを特徴とする上記使用。
【手続補正書】
【提出日】平成23年12月7日(2011.12.7)
【手続補正１】
【補正対象書類名】特許請求の範囲
【補正対象項目名】請求項１７
【補正方法】変更
【補正の内容】
【請求項１７】
反応を管状リアクター中で実施する、請求項１６に記載の方法。
【手続補正２】
【補正対象書類名】特許請求の範囲
【補正対象項目名】請求項３０
【補正方法】変更
【補正の内容】
【請求項３０】
請求項２から１０までのいずれか１項で定義されることを特徴とする、請求項２９に記載の触媒。